(57)【要約】【課題】オイル貯留部に溜まる水が凍結するのを簡略な構成によって防止できるようにする。【解決手段】内燃機関のクランクケース４からのブローバイガスを導入してブローバイガスに含まれるオイルを捕捉する金属メッシュ８を内部に備えたベンチレータ本体２と、金属メッシュ８により捕捉したオイルをベンチレータ本体２の内底部に貯留するオイル貯留部２０と、オイル貯留部２０に貯留したオイルを下部に排出する逆止弁２１と、逆止弁２１から排出されるオイルをクランクケース４に戻すオイル戻し流路２３と、を備えたベンチレータ装置であって、ベンチレータ本体２の外部に、少なくともベンチレータ本体２底部の外側及びオイル貯留部２０の外側を覆う凍結防止カバー２６を嵌合配置する。【選択図】図１
2007247552.tif 000002
【特許請求の範囲】
【請求項１】
内燃機関のクランクケースからのブローバイガスを導入して該ブローバイガスに含まれるオイルを捕捉するオイル捕捉手段を内部に備えたベンチレータ本体と、前記オイル捕捉手段により捕捉したオイルをベンチレータ本体の内底部に貯留するオイル貯留部と、該オイル貯留部に貯留したオイルを下部に排出する逆止弁と、該逆止弁から排出されるオイルを前記クランクケースに戻すオイル戻し流路と、を備えたベンチレータ装置であって、前記ベンチレータ本体の外部に、少なくとも前記ベンチレータ本体底部の外側及びオイル貯留部の外側を覆う凍結防止カバーを嵌合配置したことを特徴とするベンチレータ装置。
【請求項２】
前記凍結防止カバーは、ベンチレータ本体外面の構造部材に係合して取り付ける係止手段を有することを特徴とする請求項１に記載のベンチレータ装置。
【請求項３】
前記凍結防止カバーは、支持カバーと、該支持カバーの内面に配置した断熱材とからなることを特徴とする請求項１又は２に記載のベンチレータ装置。
【請求項４】
前記前記ベンチレータ本体に嵌合した凍結防止カバーの下端を支持する係止部材を、前記オイル戻し流路に取り付けたことを特徴とする請求項１〜３のいずれか１つに記載のベンチレータ装置。
【発明の詳細な説明】
【技術分野】
【０００１】
本発明は、ブローバイガス還流システムのベンチレータ装置に係り、詳しくはベンチレータ装置でオイルと共に分離された水分が内部で凍結する問題を防止するようにしたベンチレータ装置に関する。
【背景技術】
【０００２】
内燃機関のクランクケース内に新気を導入し、この新気により押し出されたブローバイガスを機関吸気系に戻して燃焼させるようにしたブローバイガス還流システムが従来から広く用いられている。この種の装置では、クランクケース内からブローバイガスとともに潤滑油が持ち出されるのを防止するために、クランクケースからのブローバイガス出口にベンチレータ装置を設けている。
【０００３】
この種のベンチレータ装置としては、特許文献１に示されるものがある。
【０００４】
図５は上記特許文献１におけるベンチレータ装置の構成を示す切断正面図であり、ベンチレータ装置１を構成するベンチレータ本体２のブローバイガス入口３には、作動しているエンジンのクランクケース４からのブローバイガスが導入される。ブローバイガス入口３からベンチレータ本体２内に導入されたブローバイガスは、リング形状の第一室５内を旋回しつつ、孔６から第二室７へと流入し、第二室７に流入したブローバイガスは第二室７内を旋回しつつ、金属メッシュ８によるオイル捕捉手段によってブローバイガス内の比較的大きな液滴のオイルが捕捉された後、孔９から第三室１０の上空間１０ａへと流入していく。
【０００５】
第三室１０の上空間１０ａに流入したブローバイガスはＰＣＶバルブ１１（ダイアフラム弁）の上部の中央通路１２を通って上昇し第四室１３へと流入し、第四室１３に流入したブローバイガスはフィルタ１４の中空部分からフィルタ１４の外側の空間１３ａに向かい流れ、比較的小さな液滴のオイルもフィルタ１４により捕捉される。オイルが除去された空間１３ａのブローバイガスはブローバイガス出口１５から排出され、ターボチャージャ１６の上流部に戻される。
【０００６】
フィルタ１４で捕捉され液滴化したオイルは空間１３ａへ流下してオイル集合部１７に集められ、そして、オイル集合部１７に所定以上のオイルが溜まると逆止弁１８が開き、オイルは突出部１９に設けたオイル通路１９ａへと流下していく。
【０００７】
また、第二室７の金属メッシュ８のオイル捕捉手段により捕捉され液滴化したオイルは孔９から流下し、ＰＣＶバルブ１１のダイアフラムの上部を伝って流下し、前記フィルタ１４で捕捉されたオイルと合流されて、底部のオイル貯留部２０に貯留される。
【０００８】
オイル貯留部２０にオイルが所定以上溜まると、逆止弁２１が開き、オイルは、オイル出口２２へ流下していき、オイル戻し流路２３（ドレンホース）を経て前記クランクケース４へ戻されるようになっている。
【０００９】
そして、上記において、エンジンでのブローバイガスの発生量に対応してブローバイガス出口１５から吸気通路に還流されるブローバイガスの還流量が吸気負圧に応じて作動する前記ＰＣＶバルブ１１により調節されるようになっている。
【００１０】
また、前記ベンチレータ装置において、ブローバイガス中の水分の結露による凍結を防止するようにしたものがある（特許文献２、特許文献３等参照）。
【特許文献１】特開２００５−２４８９２６号公報
【特許文献２】特開平０５−４４４２３号公報
【特許文献３】特開２００５−２１４１５８号公報
【発明の開示】
【発明が解決しようとする課題】
【００１１】
図５に示した特許文献１のベンチレータ装置１に導かれるブローバイガスには大量の水分が含まれているため、寒冷時にはブローバイガス中の水分が結露し、このために特にオイル貯留部２０にはオイルと共に大量の水が溜まる。
【００１２】
従って、寒冷時の外気温及び冷風の吹付け等によってベンチレータ本体２が冷却されるとオイル貯留部２０に溜った水が凍結し、このためにオイル貯留部２０のオイルの取出しが不能になったり、ベンチレータ本体２内のブローバイガス通路が閉塞されることによってクランクケース４内の圧力が上昇し油漏れを発生する等の問題を有していた。
【００１３】
また、前記特許文献２は、ベンチレータ装置の外部に設けた流量調整バルブが氷結するのを防止するようにしたものであり、また、特許文献３は、オイルセパレータで分離されたオイル蒸気を含む空気を吸気ダクトに導く導入管を、吸気ダクトに対する接続口よりも低い位置の接続口でセパレータに接続して、吸入管の凝縮水が吸気ダクトには入らないようにしたものである。しかし、特許文献２及び特許文献３においても、ベンチレータ装置に導入されるブローバイガス中の水分はベンチレータ装置内部で結露し、この結露した水がベンチレータ装置の底部に貯留して凍結するという問題がある。
【００１４】
本発明は、上記実情に鑑みてなしたもので、オイル貯留部に溜まる水が凍結するのを簡略な構成によって防止できるようにしたベンチレータ装置を提供しようとするものである。
【課題を解決するための手段】
【００１５】
本発明のベンチレータ装置は、内燃機関のクランクケースからのブローバイガスを導入して該ブローバイガスに含まれるオイルを捕捉するオイル捕捉手段を内部に備えたベンチレータ本体と、前記オイル捕捉手段により捕捉したオイルをベンチレータ本体の内底部に貯留するオイル貯留部と、該オイル貯留部に貯留したオイルを下部に排出する逆止弁と、該逆止弁から排出されるオイルを前記クランクケースに戻すオイル戻し流路と、を備えたベンチレータ装置であって、前記ベンチレータ本体の外部に、少なくとも前記ベンチレータ本体底部の外側及びオイル貯留部の外側を覆う凍結防止カバーを嵌合配置したことを特徴とする。
【００１６】
上記した如く、ベンチレータ本体の外部における少なくともベンチレータ本体底部の外側とオイル貯留部の外側を凍結防止カバーで覆うようにしたので、寒冷時にオイル貯留部が冷却されるのを防止し、これによりオイル貯留部に溜まった水が凍結する問題を簡略な構成で防止できる。更に、凍結防止カバーはベンチレータ本体に嵌合配置する構造のため、既存のベンチレータ装置にも容易に適用できる。
【００１７】
上記ベンチレータ装置において、前記凍結防止カバーは、ベンチレータ本体外面の構造部材に係合して取り付ける係止手段を有することは好ましく、この構成では、凍結防止カバーの取り付けが容易である。
【００１８】
上記ベンチレータ装置において、前記凍結防止カバーは、支持カバーと、該支持カバーの内面に配置した断熱材とからなることは好ましく、この構成では簡略な構成で良好な断熱が図れる。
【００１９】
上記ベンチレータ装置において、前記ベンチレータ本体に嵌合した凍結防止カバーの下端を支持する係止部材を、前記オイル戻し流路に取り付けたことは好ましく、この構成ではベンチレータ本体に対する凍結防止カバーの取り付け強度が高められる。
【発明の効果】
【００２０】
本発明の請求項１〜４記載のベンチレータ装置によれば、ベンチレータ本体の外部における少なくともベンチレータ本体底部の外側とオイル貯留部の外側とを凍結防止カバーで覆ったことにより、寒冷時にオイル貯留部が冷却されるのを防止し、よってオイル貯留部に溜まった水が凍結する問題を簡略な構成で防止できる効果がある。
【００２１】
更に、凍結防止カバーはベンチレータ本体に嵌合配置する構造を有するため、既存のベンチレータ装置にも容易に適用できる効果がある。
【００２２】
また、凍結防止カバーが、ベンチレータ本体外面の構造部材に係合して取り付ける係止手段を有するので、凍結防止カバーの取り付けが容易になる効果がある。
【００２３】
また、ベンチレータ本体に嵌合した凍結防止カバーの下端を支持する係止部材を、オイル戻し流路に取り付けたので、ベンチレータ本体に対する凍結防止カバーの取り付け強度を高められる効果がある。
【発明を実施するための最良の形態】
【００２４】
以下、本発明の実施の形態を添付図面を参照して説明する。
【００２５】
図１は前記図５のベンチレータ装置に適用したは本発明の形態の一例を示す切断正面図、図２は図１の正面斜視図、図３は凍結防止カバーの構造とベンチレータ本体への取り付けを示す斜視図、図４はベンチレータ本体に取り付けた凍結防止カバーを係止する方式を示す断面図である。
【００２６】
図１〜図３に示す如く、ベンチレータ本体２の外面の上下中間位置には、前記ブローバイガス入口３及びブローバイガス出口１５が設けられていると共に、ベンチレータ本体２を図示しないエンジンに取付金具等を介して固定するためのボルト穴２４を備えたリブ構造２５（構造部材）が、図２のベンチレータ本体２の手前の表面と奥の表面に突出して設けられている。
【００２７】
前記ベンチレータ本体２における下部外側には、少なくとも前記ベンチレータ本体２底部の外側とオイル貯留部２０の周方向外側を覆う凍結防止カバー２６を嵌合して取り付けている。
【００２８】
図１、図３に示す凍結防止カバー２６は、ベンチレータ本体の下部を包囲するよう形成した支持カバー２７と、該支持カバー２７の内面に配置するようにした断熱材２８とから構成されている。前記支持カバー２７は、ベンチレータ本体２の下部を所要の間隔を有して包囲する形状を有し、且つ前記ベンチレータ本体２の下部外側に設けられた前記突出部１９を避けるようにした凸部２７ａや、ベンチレータ本体２外面に設けられる他の構造部材を避けるように形成されている。この支持カバー２７は空気の流動を遮断し、断熱性と耐久性を有する材料で構成することが好ましく、例えば樹脂で形成することができる。また、前記断熱材２８は断熱性と耐久性を有する材料で構成することが好ましく、例えば発泡樹脂、断熱ウール等で構成することができる。
【００２９】
また、前記凍結防止カバー２６は、前記したように支持カバー２７と断熱材２８によって構成する以外に、断熱性を有する薄板材を複数重ね合わせた構造とする等、種々の構造のものを用いることができる。
【００３０】
前記凍結防止カバー２６は、ベンチレータ本体２の外面に備えられるリブ構造２５（構造部材）に係合して取り付ける係止手段を有している。図１〜図３では、前記支持カバー２７に係止爪２９による係止手段が設けられており、前記凍結防止カバー２６をベンチレータ本体２の下部に嵌合させたとき、前記係止爪２９がベンチレータ本体２外面の手前側と奥側に設けられたリブ構造２５における下部二本のリブ２５ａ，２５ｂの内の上側のリブ２５ａに係止されるようにっている。
【００３１】
更に、前記凍結防止カバー２６をベンチレータ本体２の下部に嵌合させたとき、図４に示す如く、オイル戻し流路２３（ドレンホース）の外周に取り付けることにより前記凍結防止カバー２６の下端を支持するようにしたホースクリップのような係止部材３０を取り付けている。
【００３２】
なお、凍結防止カバー２６は、少なくとも前記ベンチレータ本体２底部の外側とオイル貯留部２０の周方向外側を覆う形状とした場合について説明したが、可能な場合には、図１に示すようにフィルタ１４で捕捉したオイルが集合するオイル集合部１７及びベンチレータ本体２内下部に備えられる金属メッシュ８の位置まで凍結防止カバー２６によって包囲するようにしてもよい。即ち、前記ベンチレータ本体２の金属メッシュ８によるオイル捕捉手段によって捕捉されるオイルの量に対し、フィルタ１４で捕捉されるオイルの量は少なく、更に仮にオイル集合部１７で集められた水が凍結したとしても、ブローバイガス通路を閉塞する問題は生じることはないが、オイル集合部１７及び金属メッシュ８まで凍結防止カバー２６で包囲することは好ましい。
【００３３】
次に、上記図示例の作動を説明する。
【００３４】
図３に示すように、支持カバー２７の内面に断熱材２８を挿入配置することにより凍結防止カバー２６を組立て、この凍結防止カバー２６をベンチレータ本体２の下部に下方から嵌合させ、図１、図２に示すように支持カバー２７の係止爪２９（係止手段）を、ベンチレータ本体２外面の手前側と奥側に設けられたリブ構造２５のリブ２５ａに係止させる。これにより凍結防止カバー２６はベンチレータ本体２に固定される。更に、図４に示す如く、オイル戻し流路２３（ドレンホース）の外周に係止部材３０を取り付けて、該係止部材３０により前記凍結防止カバー２６の下端を支持することにより、凍結防止カバー２６を更に確実にベンチレータ本体２に固定することができる。
【００３５】
寒冷時にはブローバイガス中の水分の結露が増加し、このために特にオイル貯留部２０にオイルと共に大量の水が溜まり、このオイル貯留部２０に溜った水が凍結することにより、オイルの取出しが不能になったり、ベンチレータ本体２内のブローバイガス通路が閉塞されることによってクランクケース４内の圧力が上昇し油漏れを発生する等の問題が懸念されるが、前記したように、少なくとも前記ベンチレータ本体２底部の外側とオイル貯留部２０の周方向外側とを覆う凍結防止カバー２６をベンチレータ本体２の下部に嵌合させたので、寒冷時の外気温及び冷風の吹付け等によってもベンチレータ本体２の下部が冷却されることが防止され、よってオイル貯留部２０に溜った水が凍結する従来の問題を防止することができる。
【００３６】
従って、オイル貯留部２０に溜ったオイルは、逆止弁２１の作用によりオイル戻し流路２３を介してクランクケース４に確実に戻すことができ、且つベンチレータ本体２内のブローバイガス通路が閉塞されることがないので、クランクケース４内の圧力が上昇して油漏れを発生するといった問題の発生を防止することができる。
【００３７】
なお、本発明のベンチレータ装置は、上記形態にのみ限定されるものではなく、本発明の要旨を逸脱しない範囲内において種々変更を加え得ることは勿論である。
【図面の簡単な説明】
【００３８】
【図１】本発明を実施する形態の一例を示す切断正面図である。
【図２】図１の正面斜視図である。
【図３】凍結防止カバーの構造とベンチレータ本体への取り付けを示す斜視図である。
【図４】ベンチレータ本体に取り付けた凍結防止カバーを係止する方式を示す断面図である。
【図５】従来のベンチレータ装置の一例を示す切断正面図である。
【符号の説明】
【００３９】
１  ベンチレータ装置
２  ベンチレータ本体
３  ブローバイガス入口
４  クランクケース
８  金属メッシュ（オイル捕捉手段）
１５  ブローバイガス出口
１８  逆止弁
２０  オイル貯留部
２１  逆止弁
２３  オイル戻し流路
２５  リブ構造（構造部材）
２５ａ，２５ｂ        リブ（構造部材）
２６  凍結防止カバー
２７  支持カバー
２８  断熱材
２９  係止爪（係止手段）
３０  係止部材
【図１】
2007247552.tif 000003
【図２】
2007247552.tif 000004
【図３】
2007247552.tif 000005
【図４】
2007247552.tif 000006
【図５】
2007247552.tif 000007